(57)【要約】【課題】上ケースと下ケースとに互いに離反する方向に無理な力が上ケースと下ケースに加わっても、両者が分離することのない強固なカートリッジ収納ケースを提供する。【解決手段】複数個のカートリッジを並置させて収容する区画室を形成されたカートリッジ収納上ケース２３と、前記区画室と対向する位置に実質同じ形状の区画室が形成されたカートリッジ収納下ケース２５と、から成り、相互に係合する凸部と凹部とを備えた同一構造の上ケース２３と下ケース２５を重ね合わせることで内部に前記区画室の倍の広さの区画室が形成されるカートリッジ収納ケースにおいて、上ケース２３と下ケース２５とを重ね合わせた状態で上下のフランジ領域に貫通孔２３ｈ、２５ｈを形成し、この貫通孔２３ｈ、２５ｈに抜け止めピン９２を差し込み固定した。【選択図】図１
2007197082.tif 000002
【特許請求の範囲】
【請求項１】
磁気テープ巻回リールが内設される扁平体状のカートリッジの複数個を厚み方向に並置させてブロック状としたカートリッジ群を保持する区画室を形成されかつ前記区画室を挟む反対の両側にフランジを延設した略矩形状のカートリッジ収納上ケースと、前記区画室と対向する位置に実質同じ形状の区画室が形成されかつ前記区画室を挟む反対の両側にフランジを延設した略矩形状のカートリッジ収納下ケースと、から成り、相互に係合する凸部と凹部とを前記フランジに備えた同一構造の前記上ケースと前記下ケースを重ね合わせて前記凸部と前記凹部とを係合することで内部に前記区画室の倍の広さの区画室が形成されるカートリッジ収納ケースにおいて、
前記上ケースと前記下ケースとを重ね合わせた状態で前記上下のフランジ領域に貫通孔が形成されていることを特徴とするカートリッジ収納ケース。
【請求項２】
前記貫通孔が前記フランジ領域のコーナー部に形成されていることを特徴とする請求項１記載のカートリッジ収納ケース。
【請求項３】
前記貫通孔が前記フランジ領域の複数のコーナー部に形成されていることを特徴とする請求項２記載のカートリッジ収納ケース。
【請求項４】
前記上ケースと前記下ケースとを結束させる結束部材を前記貫通孔に取り付けたことを特徴とする請求項１〜３のいずれか１項記載のカートリッジ収納ケース。
【請求項５】
前記結束部材は結束帯又は抜け止めピンであることを特徴とする請求項４項記載のカートリッジ収納ケース。
【請求項６】
取っ手用貫通長孔が、前記両フランジ領域を通る前記矩形の中心線を横切るように形成されていることを特徴とする請求項１〜３のいずれか１項記載のカートリッジ収納ケース。
【請求項７】
セキュリティシールを前記フランジの領域に貼り付けたことを特徴とする請求項１〜６のいずれか１項記載のカートリッジ収納ケース。
【請求項８】
セキュリティシールを前記取っ手用貫通長孔に取り付けたことを特徴とする請求項７記載のカートリッジ収納ケース。
【発明の詳細な説明】
【技術分野】
【０００１】
本発明は、磁気テープ巻回リールが内設される扁平体状のカートリッジを収納するカートリッジ収納ケースに関し、特にカートリッジ収納ケースを構成する上ケースと前記下ケースとが簡単に分離しないようにする技術に関する。
【背景技術】
【０００２】
従来、ワンリール型の磁気記録テープカートリッジを集積包装する場合、図７に示すように、各カートリッジ１を１巻単位でケース３に収納し、そのケース３を複数個毎に段ボールの箱５に詰めて緩衝性を保持していた。
しかし、この集積包装の場合、カートリッジ１が段ボール箱５内に収納されるため、カートリッジ１の有無や種別等を確認するためには段ボール箱５を開封する必要があり、利便性に問題があった。また、段ボール詰めでは浸水時に濡れてしまい、段ボール箱５が壊れてしまうという問題もあった。
【０００３】
このようなことから、水に濡れてもケース強度に支障を来さず、中身の見える透明のプラスチックでカートリッジ１を集積包装する例えば図８に示すケース７が非特許文献１に開示され、市場に提供されるようになった。
【非特許文献１】ＵＴＯ−Ｕｌｔｒｉｕｍ  Ｌ−ｐａｃｋ、［online］、ＴＤＫ株式会社、[平成１７年１１月１４日検索]、インターネット＜URL:http://www.tdk.com/professional/lto/ltopack.html＞
【０００４】
しかしながら、上記非特許文献１記載のケース７は、個々のカートリッジ１を収納するための収納空間９が複数の仕切り突起１１に区画され、この収納空間９にカートリッジ１を１巻単位で保管するものであった。つまり、カートリッジが分散収納されていた。このため、実際の収納作業ではカートリッジ１を一つ一つ納めることとなり、特にカートリッジ１が大量にある場合には使い勝手が悪くなる問題があった。また、上記ケース７においては、収納空間９が一つ一つで区画されているため、収納面積（すなわち、ケース７の上面開口面積）の全体が個々の収納空間９によって等分割される。このため、最端部のケース部位１３，１５では、収納カートリッジの略全数の荷重が集中し、耐衝撃性に乏しくなり、落下時における衝撃吸収能力が低くなるという問題があった。
【０００５】
本出願人は上記状況に鑑みて、耐衝撃性を保持しつつ、収納作業効率の高いカートリッジ収納ケースを開発した。
【０００６】
図４〜図６は本発明に係る特徴を備えた区画室を４つ形成して成るカートリッジ収納ケースを説明する図で、図４はその上ケース、下ケースの分離された分解斜視図、図５は図４に示した上ケースの平面視を（ａ）その側面視を（ｂ）に示した上ケース説明図、図６はカートリッジ収納ケースを説明する図で、（ａ）は図５のＡ矢視図、（ｂ）は区画室の外壁面に設けられる緩衝リブを表したカートリッジ収納ケースの要部外観図である。
カートリッジ収納ケース１００は、例えば磁気テープ巻回リールが内設される扁平体状のカートリッジ２１を収納する場合に好適に用いることができる。
【０００７】
カートリッジ２１は、不図示の磁気テープ巻回リールを、軸線が厚み方向となる向きで内設している。本実施の形態では、カートリッジ２１が正方形の扁平体である場合を例に説明するが、カートリッジは、この他、矩形状の扁平体状であってもよい。
【０００８】
カートリッジ収納ケース１００は、同一構造の上ケース２３と、下ケース２５とを上下から重ね合わせて係合することにより、開閉可能となる。これら上ケース２３と下ケース２５とを係合することにより、その内部には複数の区画室２７が形成されるようになっている。本実施の形態では、４つの区画室２７が形成される。それぞれの区画室２７には、複数のカートリッジ２１を図４に示すように、厚み方向に並置させてブロック状としたカートリッジ群２９を保持可能としている。なお、カートリッジ２１は、図４に示すように、強度の弱いテープ取り出し口を区画室２７の中央側になるように、テープ取り出し口を上にする向きで配置する。さらに好ましくは、テープ取り出し口を区画室２７毎で相互に向かい合わせる配置とするとよい。その場合には、テープ取り出し口がカートリッジ収納ケース１００の中央側に向けられて、ケース外方からの衝撃からテープ取り出し口を保護することができる。
【０００９】
ここでは、１つの区画室２７が、５つのカートリッジ２１からなるカートリッジ群２９の体積と、略同一の収納容積を形成している。したがって、各区画室２７には、カートリッジ２１を無造作に詰め込んでも、個々のカートリッジ２１に対する仕切壁がないので、簡単に入れることができる。例えば、カートリッジ２１の２〜３個は纏めて掴んで詰め込むことができ、一つ一つ掴んで挿入する従来品とは、収納の作業効率が格段に向上されている。
【００１０】
このように、複数のカートリッジ２１が、ブロック状に纏めて収納される分、同一の収納面積で複数のカートリッジ２１が分散収納される場合に比べ、収納に寄与しない余剰面積が確保可能となる。カートリッジ収納ケース１００では、この余剰面積部分が衝撃吸収部（所謂クラッシャブルゾーン）として利用されている。
【００１１】
すなわち、上ケース２３、下ケース２５の磁気テープ巻回リール軸線方向両端側には、衝撃吸収部であるフランジ３１，３１が延設されている。それぞれのフランジ３１にはケース持ち運び用の取っ手となる取っ手開口３３が穿設されている。つまり、上ケース２３と下ケース２５とが係合されたカートリッジ収納ケース１００は、いずれか一方の取って開口３３に手を入れて、他方のフランジ３１が下方となるようにして持ち運びすることが可能となっている。また、カートリッジ収納ケース１００は、両手で両側の取っ手開口３３、３３を掴んで、水平方向にして持ち運びしてもよい。
【００１２】
上記のように、一方の取っ手開口３３を片手で掴み、他方のフランジ３１が下方となるようにしてカートリッジ収納ケース１００を持ち運ぶ際、仮にカートリッジ収納ケース１００が手から滑り落ちると、カートリッジ収納ケース１００は、下方のフランジ３１が床面に衝突する。この際、衝撃吸収部となるフランジ３１は、カートリッジ収納ケース１００及びカートリッジ群２９の荷重により変形し、その変形によって衝撃エネルギーが吸収されて、収納されたカートリッジ２１に対する衝撃が緩和されるようになっている。
【００１３】
一般に、カートリッジ２１は、リール軸方向に加わる衝撃に弱い。これは、巻きテープの端面にはテープ飛び出しが発生している場合があり、このテープ飛び出しによりテープ端がリールフランジに当たることで、テープが潰れたり折れ曲がる等すると、磁気テープの円滑な巻き取り繰り出しが阻害され、最悪の場合、読み書きができなくなってしまうためである。本実施の形態では、カートリッジ２１のリール軸線方向に、衝撃吸収部となるフランジ３１を配設することにより、衝撃に対して脆弱なリール軸線方向の耐衝撃性が向上されるようになっている。
【００１４】
図６（ｂ）は区画室の外壁面に設けられる緩衝リブを表したカートリッジ収納ケースの要部外観図である。
また、各区画室２７の壁面には、区画室２７から外方へ突出する緩衝リブ３５が形成されている。したがって、外部から物体がカートリッジ収納ケース１００に衝突した場合であっても、緩衝リブ３５により、ケース外壁面とカートリッジ２１との間には空隙が形成されることとなり、この緩衝リブ３５がクッション材となって耐衝撃性が高まるようになっている。
【００１５】
カートリッジ収納ケース１００は、相互に係合する凸部（凸条）４１，と凹部（凹溝）４３とを備えた同一構造の上ケース２３と下ケース２５とからなる。本実施の形態では、４つの区画室２７を包囲する周囲に、図５のケースセンター線４５を対称に、上下に凸条４１と凹溝４３とが形成されている。すなわち、上ケース２３、下ケース２５は、センター線４５を挟み、一方にコ字状の凸条４１が連続して形成され、他方にコ字状の凹溝４３が連続して形成されている。
【００１６】
同一構造である上ケース２３と下ケース２５とが、上下に組み合わされたときに、凸条４１が凹溝４３に入り込み、双方が係合する。これにより、区画室２７が密閉されて、耐水性を得ることができ、水に浮くことも可能である。また、ほこり、湿気、跳ねかけられた水、及び他の有害物質に対してカートリッジ２１を保護することができる。つまり、一つのケースが、蓋としても、身としても使用されることとなる。このことから一つの金型により成形した一種類のケースを用いて、凸条４１、凹溝４３により開閉が可能となる区画室２７の形成されるカートリッジ収納ケース１００が構成されている。
【００１７】
また、各区画室２７同士の間には、仕切り部４７が設けられている。この仕切り部は、衝撃に対する変形が容易となるようにその形状及び後述の厚みで形成されている。すなわち、落下時に仕切り部４７が変形することでその衝撃を緩和する。仕切り部４７は、落下方向がフランジ３１のある側からであっても、或いはそれと垂直方向であってもよいように、いずれの方向にも介在している。本実施の形態では、４方に配設された区画室２７を４つに仕切るように十字方向の仕切り部４７が形成されている。
【００１８】
カートリッジ収納ケース１００は、カートリッジ群２９が収納される区画室２７同士の間に、仕切り部４７が介在することで、例えば落下等により各カートリッジ群２９毎に衝撃が加わった場合であっても、仕切り部４７が衝撃を吸収し、カートリッジ群２９群同士の慣性による衝撃力が、相互に影響を及ぼさないようになっている。
【００１９】
ところで、カートリッジ群２９を収納したカートリッジ収納ケース１００は、外形状と略同一の内形状となった不図示の段ボール箱に収容される。このため、当該段ボール箱からの取り出し性を良好とするため、フランジ３１の両側には略４５度の傾斜辺となった面取り部４９が形成されている。これにより、段ボール箱に収容されたカートリッジ収納ケース１００は、段ボール箱内壁面との間に、この面取り部４９による三角穴が形成されて、手指の挿入による容易な取り出しが行えるようになっている。
【００２０】
さらに、この面取り部４９には、図示は省略するが、面取り部４９に摘み片を延設した構成としてもよい。この場合には、同一構造の上ケース２３と下ケース２５とが図４に示すように、区画室２７を形成して上下方向から重ねられたとき、双方の摘み片５１を上下に離反することにより、上ケース２３と下ケース２５との係合が解除され易くなる。
【００２１】
さらに、上ケース２３と下ケース２５との最外周には、周縁を僅かに折り曲げた段曲げ部が形成されている。この段曲げ部は、上記の凸条４１と凹溝４３と同様に、センター線４５を対称にいずれか一方に形成されている。これにより、上ケース２３と下ケース２５とを重ね合わせた際に、段曲げ部が他方の周縁に被さり、防塵性、防水性が向上されるようになっている。
【００２２】
さらに、各区画室２７の外部底面部には、相互に遊嵌可能な大小の四角枠部５３ａ，５３ｂが膨出されている。これにより、カートリッジ収納ケース１００が上下方向に積載されても、上側カートリッジ収納ケース１００下面の四角枠部５３ａ，５３ｂが、下側カートリッジ収納ケース１００上面の四角枠部５３ｂ，５３ａに嵌合して、相対的な横ずれ規制されて、段積み時の崩れ防止が図られるようになっている。
【００２３】
上ケース２３、下ケース２５のそれぞれは、可塑性樹脂の一体成形品からなる。このため、比較的取り扱い性が容易な材料を用いて、ケートリッジを確実に保護する堅牢性と、適宜な衝撃吸収性を備えた上ケース２３、下ケース２５が容易かつ安価に量産可能となっている。
【００２４】
この可塑性樹脂は、例えばポリエチレンテレフタレート、ポリプロピレン、ポリスチレンのいずれかを含むものとすることができる。可塑性樹脂が、ポリエチレンテレフタレート、ポリプロピレン、ポリスチレンのいずれかとなることで、材料の入手が容易となるとともに、廃品となった後の回収・再利用が可能で、容易かつ安価な真空成形が可能となる。
【００２５】
また、可塑性樹脂は、透光性を有するものであることが好ましい。これにより、上ケース２３、下ケース２５が係合され、区画室２７が密閉状態となった場合においても、区画室２７内に収納されるカートリッジ２１が外部より視認可能となり、密閉区画室２７内のカートリッジ収納状況が容易に把握可能となる。
【００２６】
また、厚みが０．５〜２．０ｍｍの可塑性樹脂のシートを用いて、延伸加工により形成することで、複数のカートリッジ群を収納する区画室の最低構造強度が経済的に確保されるとともに、ケース全体の重量も最低強度を満足しつつ最小とすることができる。また、上記厚みで形成されることで、外力が加えられた際の適度な変形が可能となり、収納カートリッジに対する衝撃吸収作用を最適に確保することが可能となる。つまり、これより薄厚であれば、変形が容易となり過ぎ、衝撃吸収効果が低下する。
【００２７】
また、これより厚くなれば、変形し難くなり、衝撃力が直接収納カートリッジに伝達されてしまうことになる。本構成では、可塑性樹脂のシート厚みが上記厚みに設定されることで、最適な衝撃吸収部（クラッシャブルゾーン）の形成が可能となる。
【００２８】
このようなカートリッジ収納ケースによれば、複数のカートリッジを厚み方向に並置させてブロック状としたカートリッジ群を保持する少なくとも一つの区画室を形成し、かつ区画室のコーナー部分に空間部を形成したので、複数のカートリッジをブロック状に纏めた分、複数のカートリッジを纏めて区画室に納めることができ、短時間に効率の良い収納が可能となり、収納作業効率を大幅に向上させることができ、かつ空間部がケース落下時等の衝撃を吸収し、収容カートリッジに対する耐衝撃性を向上させることができる。
【発明の開示】
【発明が解決しようとする課題】
【００２９】
このように上記カートリッジ収納ケースはいろいろな点で優れていることが判ったが、ただ克服すべき弱点もあることに気がついた。それは、カートリッジ収納ケースを手で提げて運搬している最中などに、上ケースと下ケースとに互いに離反する方向に無理な力が上ケースと下ケースに加わると、両者が分離して、中の収納物であるカートリッジがバラケて落下して破損するおそれがあることが判った。
【００３０】
本発明はかかる欠点を解決するためになされたもので、上ケースと前記下ケースとに互いに離反する方向に無理な力が上ケースと下ケースに加わっても、両者が分離することのないカートリッジ収納ケースを提供することを目的としている。
【課題を解決するための手段】
【００３１】
上記欠点を解決するため、請求項１記載の発明はカートリッジ収納ケースに係り、磁気テープ巻回リールが内設される扁平体状のカートリッジの複数個を厚み方向に並置させてブロック状としたカートリッジ群を保持する区画室を形成されかつ前記区画室を挟む反対の両側にフランジを延設した略矩形状のカートリッジ収納上ケースと、前記区画室と対向する位置に実質同じ形状の区画室が形成されかつ前記区画室を挟む反対の両側にフランジを延設した略矩形状のカートリッジ収納下ケースと、から成り、相互に係合する凸部と凹部とを前記フランジに備えた同一構造の前記上ケースと前記下ケースを重ね合わせて前記凸部と前記凹部とを係合することで内部に前記区画室の倍の広さの区画室が形成されるカートリッジ収納ケースにおいて、前記上ケースと前記下ケースとを重ね合わせた状態で前記上下のフランジ領域に貫通孔が形成されていることを特徴としている。
【００３２】
請求項２記載の発明は、請求項１記載のカートリッジ収納ケースにおいて、前記貫通孔が前記フランジ領域のコーナー部に形成されていることを特徴としている。
請求項３記載の発明は、請求項２記載のカートリッジ収納ケースにおいて、前記貫通孔が前記フランジ領域の複数のコーナー部に形成されていることを特徴としている。
請求項４記載の発明は、請求項１〜３のいずれか１項記載のカートリッジ収納ケースにおいて、前記上ケースと前記下ケースとを結束させる結束部材を前記貫通孔に取り付けたことを特徴としている。
請求項５記載の発明は、請求項４記載のカートリッジ収納ケースにおいて、前記結束部材は結束帯又は抜け止めピンであることを特徴としている。
【００３３】
請求項６記載の発明は、請求項１〜３のいずれか１項記載のカートリッジ収納ケースにおいて、取っ手用貫通長孔が、前記両フランジ領域を通る前記矩形の中心線を横切るように形成されていることを特徴としている。
請求項７記載の発明は、請求項１〜６のいずれか１項記載のカートリッジ収納ケースにおいて、セキュリティシールを前記フランジの領域に貼り付けたことを特徴としている。
請求項８記載の発明は、請求項７記載のカートリッジ収納ケースにおいて、セキュリティシールを前記取っ手用貫通長孔に取り付けたことを特徴としている。
【発明の効果】
【００３４】
上記の構成により、カートリッジをカートリッジ収納ケースに収納した状態で、カートリッジ収納ケースの上ケースと前記下ケースとに互いに離反する方向に無理な力が加わっても、両者が分離することのないカートリッジ収納ケースが得られる。
【発明を実施するための最良の形態】
【００３５】
以下、本発明に係るカートリッジ収納ケースの好適な実施の形態について、図面を参照して詳細に説明する。
〈実施例１〉
図１は本発明の実施例１に係るカートリッジ収納ケースで、（ａ）は本発明に使用する市販の結束部材を示し、（１）結束帯、（２）は抜け止めピンである。
図の（１）の結束帯９１はプラスチック材質で形成され、１個の係止孔９１ａを備えた係止部９１Ａとこの係止部９１Ａに連接され多数の被係止リブ９１ｂを両側に備えた帯状物９１Ｂとから構成されている。そこで、帯状物９１Ｂを結束対象物に巻き付け、帯状物９１Ｂの先端を係止部９１Ａの係止孔９１ａに通した後、強く引くことにより、帯状物９１Ｂの被係止リブ９１ｂが係止孔９１ａ内に係止することで結束が行われる。
【００３６】
図の（２）の抜け止めピン９２は係止ヘッド９２Ａと係止ヘッド９２Ａに固定された貫通部材９２Ｂとで構成されて成り、そこで、貫通部材９２Ｂを結束対象物の貫通孔に貫通させると、貫通部材９２Ｂび先端部９２Ｃが貫通孔の貫通中は縮退するが貫通孔を通過後は拡張することになるので逆戻りできなくなり、結束が行われる。
【００３７】
図１（ｂ）は、図１（ａ）の結束部材によって結束されるカートリッジ収納ケースの結束位置を示す図で、（イ）は平面図、（ロ）および（ハ）は縦断面図、（１）はカートリッジ収納ケースの下ケース２５、（２）は上ケース２３である。
図１（ｂ）の（イ）の平面図において、ｈはフランジ領域に形成されている貫通孔、ｇは図で左右の両フランジ領域を通る矩形の中心線を横切るように形成されている取っ手用貫通長孔である。２３は上ケース、２５は下ケースである。したがって、２３ｈは上ケースの貫通孔、２５ｈは下ケースの貫通孔、２３ｇは上ケースの取っ手用貫通長孔、２５ｇは下ケースの取っ手用貫通長孔である。貫通孔２３ｈ、２５ｈはフランジ領域のコーナー部に形成されている。
図１（ｂ）の（ロ）の平面図に示すように、（１）の下ケース２５の上に（２）の上ケース２３を被せることにより、図１（ｂ）の（ハ）の平面図に示すように、下ケース２５と上ケース２３が一体となり、両者に形成されている貫通孔２５ｈと２３ｈが同心となるので、図（ａ）の結束部材（図では抜け止めピン９２）を使用して貫通孔２５ｈと２３ｈに通し、固定することにより、下ケース２５と上ケース２３が一体結合され、この後は運搬中に大きな力が上ケースと下ケースの離間方向に加わっても、両者が分離することがなくなる。
なお、運搬終了後、カートリッジを取り出して使用するときは、結束部材は切断すればよい。
【００３８】
〈実施例２〉
実施例２は上ケースと下ケースの一体となったカートリッジ収納ケースの取っ手にセキュリテイシールを巻回することにより、上ケースと下ケースの一体結合を確保するとともに、セキュリテイ性も確保するものである。
図２は実施例２を説明する図で、（ａ）〜（ｄ）は貫通孔と抜け止めピンの数が異なる各カートリッジ収納ケース１００〜１０３の平面図で、すべてのカートリッジ収納ケース１００〜１０３にセキュリテイシール１００ｓが用いられている。セキュリティシール１００は取っ手用貫通長孔１００ｇに巻き付け、上ケースと下ケースが離れ難くしている。そして、セキュリテイシール１００ｓを破らなければ上ケースと下ケースを離すことができないので、収納物であるカートリッジセキュリテイ性が確保できる。
もちろん、実施例１の結束部材を併用することで、上ケースと下ケースの一体結合がさらに強固になる。
【００３９】
図２の（ａ）は貫通孔４箇所と抜け止めピン４個を用いたカートリッジ収納ケース１００、（ｂ）は貫通孔４箇所と抜け止めピン２個を用いたカートリッジ収納ケース１０１、（ｃ）は貫通孔２箇所と抜け止めピン２個を用いたカートリッジ収納ケース１０２、（ｃ）は貫通孔６箇所と抜け止めピン６個を用い各たカートリッジ収納ケース１０３をそれぞれ示している。
【００４０】
〈実施例３〉
実施例１では上ケースと下ケースに貫通孔を開けていたが、実施例３は貫通孔を開けなくても上ケースと下ケースの一体結合を確保できる手法である。
図３は実施例３を説明する図で、（ａ）はカートリッジ収納ケース１０４のフランジ領域端部を示し、（ｂ）はカートリッジ収納ケース１０４の平面図である。
図において、９３は市販のクリップで、このクリップ９３を図（ｂ）のカートリッジ収納ケース１０４の端部６箇所で上ケースと下ケースを一体に挟み込んでいる。このことにより上ケースと下ケースの一体結合を確保でき、しかも貫通孔を開ける製造工程が不要となる。
【００４１】
以上のことから判るように、カートリッジをカートリッジ収納ケースに収納した状態で上ケースと前記下ケースとに互いに離反する方向に無理な力が上ケースと下ケースに加わっても、両者が分離することのない強固なカートリッジ収納ケースが得られる。
【図面の簡単な説明】
【００４２】
【図１】本発明の実施例１を説明する図である。
【図２】本発明の実施例２を説明する図である。
【図３】本発明の実施例３を説明する図である。
【図４】本発明に係るカートリッジ収納ケースの上ケース、下ケースの分離された分解斜視図である。
【図５】図４に示した上ケースの平面視を（ａ）その側面視を（ｂ）に示した上ケース説明図である。
【図６】カートリッジ収納ケースを説明する図で、（ａ）は図５のＡ矢視図、（ｂ）は区画室の外壁面に設けられる緩衝リブを表したカートリッジ収納ケースの要部外観図である。
【図７】複数校のカートリッジを収納する従来方法１の説明図である。
【図８】複数校のカートリッジを収納する従来方法２の説明図である。
【符号の説明】
【００４３】
２１  カートリッジ
２３  上ケース
２３ｇ  上ケース取っ手用貫通長孔
２３ｈ  上ケース貫通孔
２５  下ケース
２５ｇ  下ケース取っ手用貫通長孔
２５ｈ  下ケース貫通孔
２７  区画室
２９  カートリッジ群
４１  凸条（凸部）
４３  凹溝（凹部）
４７  仕切り部
９１  結束帯
９１ａ  係止孔
９１ｂ  被係止リブ
９１Ａ  係止部
９１Ｂ  帯状物
９２  抜け止めピン
９２Ａ  係止ヘッド
９２Ｂ  貫通部材
９２Ｃ  先端部
９３  クリップ
１００〜１０４  カートリッジ収納ケース
１００ｓ  セキュリテイシール
１００ｇ  取っ手用貫通長孔
【図１】
2007197082.tif 000003
【図２】
2007197082.tif 000004
【図３】
2007197082.tif 000005
【図４】
2007197082.tif 000006
【図５】
2007197082.tif 000007
【図６】
2007197082.tif 000008
【図７】
2007197082.tif 000009
【図８】
2007197082.tif 000010